(57)【特許請求の範囲】
【請求項１】
複数のメニュー表示にそれぞれ対応するサービスを提供する情報提供装置が備える表示装置における前記複数のメニュー表示の表示面上に配設されるループアンテナと、
前記ループアンテナを介した近接型もしくは接触型の近距離通信により、前記近距離通信をおこなう集積回路が前記ループアンテナに近接もしくは接触されたことを検出する検出部と、
前記表示面上において、前記ループアンテナを被覆するように重畳して配設され、前記検出部により検出された前記集積回路が近接もしくは接触された位置を検知する位置検知パネルと、
前記位置検知パネルにより位置が検知された前記集積回路から当該集積回路の識別情報を前記近距離通信により受信し、当該位置が前記複数のメニュー表示のいずれに対応するかを特定し、特定したメニュー表示に対応するサービスの要求を当該集積回路の識別情報とともに前記情報提供装置へ通信インターフェースを介して送信し、当該サービスの要求に応じたサービスの情報を前記情報提供装置から前記通信インターフェースを介して受信して前記集積回路へ前記近距離通信により送信する送受信処理部と
を備えることを特徴とする集積回路処理装置。
【請求項２】
前記ループアンテナは、透過性を有する基板の上面に配設され、
前記基板は、前記表示装置の表示面の少なくとも一部分に重畳して配設されている
ことを特徴とする請求項１記載の集積回路処理装置。
【請求項３】
給電回路に電気的に接続される前記ループアンテナとは異なるアンテナ
をさらに有し、
前記ループアンテナは、前記給電回路および前記アンテナとは電気的に接続されておらず、前記アンテナによる電磁誘導によって機能する
ことを特徴とする請求項１または２に記載の集積回路処理装置。
【請求項４】
前記ループアンテナは、給電回路に電気的に接続されており、前記給電回路からの給電によって機能する
ことを特徴とする請求項１または２に記載の集積回路処理装置。
【請求項５】
前記ループアンテナは、前記表示面上に複数配設され、複数の前記ループアンテナのうちの少なくとも一つが、他のループアンテナと隣接するよう前記基板の上面に配設され、前記他のループアンテナよる電磁誘導によって機能する
ことを特徴とする請求項２〜４のいずれか一つに記載の集積回路処理装置。
【請求項６】
複数のメニュー表示にそれぞれ対応するサービスを提供する情報提供装置が備える表示装置における前記複数のメニュー表示の表示面上に配設されるループアンテナと、前記表示面上において、前記ループアンテナを被覆するように重畳して配設され、前記ループアンテナを介した近接型もしくは接触型の近距離通信により、前記ループアンテナに近接もしくは接触されたことを検出された集積回路が近接もしくは接触された位置を検知する位置検知パネルとを備える集積回路処理装置が、
前記ループアンテナを介した近接型もしくは接触型の近距離通信により、前記近距離通信をおこなう集積回路が前記ループアンテナに近接もしくは接触されたことを検出し、
前記位置検知パネルにより位置が検知された前記集積回路から当該集積回路の識別情報を前記近距離通信により受信し、
前記位置が前記複数のメニュー表示のいずれに対応するかを特定し、
特定したメニュー表示に対応するサービスの要求を前記集積回路の識別情報とともに前記情報提供装置へ通信インターフェースを介して送信し、
前記サービスの要求に応じたサービスの情報を前記情報提供装置から前記通信インターフェースを介して受信して前記集積回路へ前記近距離通信により送信する
各処理をおこなうことを特徴とする集積回路処理方法。
【請求項７】
前記ループアンテナは、透過性を有する基板の上面に配設され、
前記基板は、画像表示媒体の表示面の少なくとも一部分に重畳して配設されている
ことを特徴とする請求項６記載の集積回路処理方法。
【発明の詳細な説明】
【技術分野】
【０００１】
本発明は、少なくとも一つのループアンテナと制御回路とで構成され、前記ループアンテナを介した近距離電波無線通信により集積回路搭載媒体に搭載される集積回路へ情報を送信することによって、ユーザにサービスを提供する集積回路処理装置および集積回路処理装置がおこなう集積回路処理方法に関する。
【背景技術】
【０００２】
近年、アンテナを介するパッシブ型の通信機能を有し、情報を記憶可能な非接触型集積回路（例えば、FeliCa（登録商標）など）を搭載したカードや携帯電話機（おサイフケータイ（登録商標））の普及が目覚しく、非接触型集積回路を利用した様々なサービスが登場してきている。非接触型集積回路を使用して提供されるサービスとしては、決済業務などが主流であるが、最近では、非接触型集積回路を介した情報提供などのサービスも提供されるようになってきている。例えば、キオスク端末や電子ポスターなど、表示画面を有し、非接触型集積回路を介して情報提供をおこなう情報提供装置が登場してきている。
【０００３】
ここで、非接触型集積回路を使用したサービスを利用するためには、非接触型集積回路を、専用のリーダライタ装置にかざす必要がある。リーダライタ装置は、非接触型集積回路と通信をおこなって情報のやり取りをおこなうための装置である。リーダライタ装置は、非接触型集積回路と通信をおこなうためのアンテナを有する。
【０００４】
情報提供装置にリーダライタ装置を効率的に搭載するために、例えば、特許文献１に開示されるように、筐体内にリーダライタ装置を有し、表示画面の表面または裏面の固定の一部分に、リーダライタ装置のアンテナを配設した情報処理システムが提案されている。この情報処理システムは、非接触型集積回路を利用したサービスを提供する際に、利用者に、アンテナの配設位置を明示することによって、非接触型集積回路を利用したサービスを容易に利用ならしめることができる。
【０００５】
【特許文献１】特開２００３−３４６０９４号公報
【発明の開示】
【発明が解決しようとする課題】
【０００６】
しかしながら、上記特許文献１に代表される従来技術では、情報提供装置が、非接触型集積回路それぞれの実装の仕様の差異を吸収するため、または、非接触型集積回路を利用したサービスを複数提供する場合に、サービス提供にかかる処理時間を短縮するために、複数のリーダライタ装置を搭載する必要があるときには、次のような問題点があった。
【０００７】
すなわち、情報提供装置は、複数のリーダライタ装置を搭載するために製造コストが増していた。また、情報提供装置は、筐体内に、複数のリーダライタ装置を搭載するため、スペースを確保する必要があり、筐体をよりコンパクトにすることが困難であった。また、情報提供装置は、複数のリーダライタ装置を調停（ポーリング処理）するための処理時間を必要としていた。
【０００８】
また、複数のリーダライタ装置のアンテナが互いに干渉して、非接触型集積回路との通信に支障をきたすおそれがあった。さらには、情報提供装置の表示画面においてサービス提供を案内するメニュー表示と、リーダライタ装置のアンテナとの間が離れる場合があるため、ユーザに、所望のサービスを受けるために非接触型集積回路をかざす位置を的確に伝えることができなかった。
【０００９】
本発明は、上記問題点（課題）を解消するためになされたものであって、情報提供装置などのサービス提供装置において、サービス提供装置の製造コストを抑制すること、サービス提供装置の筐体のコンパクト化を図ること、リーダライタ装置を調停するための処理時間の短縮を図ること、リーダライタ装置のアンテナの干渉の回避を図ること、ユーザに、所望のサービスを受けるために非接触型集積回路をかざす位置を的確に伝えることを可能とし、集積回路搭載媒体を所定面に翳してサービスの提供をうけるための、より利便性の高い集積回路処理装置および集積回路処理方法を提供することを目的とする。
【課題を解決するための手段】
【００１０】
上述した問題を解決し、目的を達成するため、本発明は、少なくとも一つのループアンテナと制御回路とで構成され、前記ループアンテナを介した近距離電波無線通信により集積回路搭載媒体に搭載される集積回路へ情報を送信することによって、ユーザにサービスを提供する集積回路処理装置であって、前記集積回路搭載媒体が接触または翳された位置を検知する位置検知パネルが前記ループアンテナを被覆するように重畳して配設されていることを特徴とする。
【００１１】
また、本発明は、上記発明において、前記ループアンテナは、透過性を有する基板の上面に配設され、前記基板は、画像表示媒体の表示面の少なくとも一部分に重畳して配設されていることを特徴とする。
【００１２】
また、本発明は、上記発明において、前記位置検知パネルによって検知された前記集積回路搭載媒体が接触または翳された位置に応じて異なる前記サービスを前記ユーザに提供することを特徴とする。
【００１３】
また、本発明は、上記発明において、前記制御回路に電気的に接続される前記ループアンテナとは異なるアンテナをさらに有し、前記ループアンテナは、前記制御回路および前記アンテナとは電気的に接続されておらず、前記アンテナによる電磁誘導によって機能することを特徴とする。
【００１４】
また、本発明は、上記発明において、前記ループアンテナは、前記制御回路に電気的に接続されており、前記制御回路によって機能することを特徴とする。
【００１５】
また、本発明は、上記発明において、複数の前記ループアンテナは、少なくとも一つの他のループアンテナと隣接するよう前記基板の上面に配設され、前記他のループアンテナよる電磁誘導によって機能することを特徴とする。
【００１６】
また、本発明は、少なくとも一つのループアンテナと制御回路とで構成され、前記ループアンテナを介した近距離電波無線通信により集積回路搭載媒体に搭載される集積回路へ情報を送信することによって、ユーザにサービスを提供する集積回路処理装置がおこなう集積回路処理方法であって、前記ループアンテナを被覆するように重畳して配設されている位置検知パネルが、前記集積回路搭載媒体が接触または翳された位置を検知する位置検知ステップを含むことを特徴とする。
【発明の効果】
【００１７】
本発明によれば、位置検知パネルによって集積回路搭載媒体が接触または翳された位置が検知されるので、ループアンテナが近距離電波無線通信の電波を感受する領域を分割して、１台の集積回路処理装置を複数の集積回路処理装置として機能させることが可能になるという効果を奏する。
【００１８】
また、本発明によれば、ループアンテナは、透過性を有する基板の上面に配設され、基板は、画像表示媒体の表示面の少なくとも一部分に重畳して配設されているので、画像表示媒体の表示に重畳させてループアンテナを配設しても、画像表示媒体の表示の可視性を維持することが可能になるという効果を奏する。
【００１９】
また、本発明によれば、位置検知パネルによって検知された集積回路搭載媒体が接触または翳された位置に応じて異なる前記サービスをユーザに提供するので、１台の集積回路処理装置を複数の集積回路処理装置として機能させることが可能になるという効果を奏する。
【００２０】
また、本発明によれば、ループアンテナは、制御回路および前記アンテナとは電気的に接続されておらず、アンテナによる電磁誘導によって機能するので、ループアンテナを容易に配設することが可能になるという効果を奏する。
【００２１】
また、本発明によれば、ループアンテナは、制御回路に電気的に接続されており、制御回路によって機能するので、容易に配設することが可能なループアンテナのみで集積回路搭載媒体に搭載される集積回路と近距離電波無線通信が可能になるという効果を奏する。
【００２２】
また、本発明によれば、複数のループアンテナは、少なくとも一つの他のループアンテナと隣接するよう基板の上面に配設され、他のループアンテナによる電磁誘導によって機能するので、ループアンテナを他のループアンテナと隣接するように配設するだけで、ループアンテナが近距離電波無線通信の電波を感受する領域を拡大することが可能になるという効果を奏する。
【発明を実施するための最良の形態】
【００２３】
以下に添付図面を参照し、本発明の集積回路処理装置および集積回路処理方法にかかる実施例を詳細に説明する。なお、以下の実施例では、集積回路処理装置は、情報を記憶可能な集積回路と情報通信をおこなうことによって集積回路との間で情報を読み書きすることによってサービスを提供するリードライト（読み書き）装置（以下、ＩＣチップ処理装置と呼ぶ）とする。しかし、これに限らず、集積回路から情報を読み出すのみのリード装置であってもよい。
【００２４】
また、以下の実施例では、集積回路は、非接触型ＩＣチップ（Integrated  Circuit、以下の実施例では、ＩＣチップと呼ぶ）であるとする。さらに、非接触型ＩＣチップのうちでも、１０センチメートルまでの距離で通信可能な近接型ＩＣチップであるとする。しかし、近接型ＩＣチップに限らず、２ミリメートルまでの距離で通信可能な密着型ＩＣチップ、７０センチメートルまでの距離で通信可能な近傍型ＩＣチップ、７０センチメートルを超える距離で通信可能な遠隔型ＩＣチップであってもよい。また、集積回路は、接触型ＩＣチップであってもよい。
【００２５】
また、集積回路搭載媒体（以下の実施例では、ＩＣチップ搭載媒体と呼ぶ）は、キャッシュカードサイズのプラスチックカードまたは携帯電話機などであるが、集積回路搭載に好適な媒体であればいずれでもよい。集積回路は、集積回路搭載媒体内において、ループアンテナと接続されている。集積回路は、集積回路搭載媒体内のループアンテナが集積回路処理装置のアンテナによって電磁誘導を受けることによって、電波、または、電界の変化を搬送波として集積回路処理装置と通信をおこなう。
【実施例１】
【００２６】
以下に、図１−１〜図３を参照して、実施例１を説明する。図１−１は、実施例１にかかるＩＣチップ処理装置の概要を示す図であり、図１−２は、実施例１にかかるＩＣチップ処理装置のアンテナ部の横断面図を示す図である。
【００２７】
図１−１に示すように、実施例１にかかるＩＣチップ処理装置１００ａは、ＩＣチップ処理装置１００ａの制御処理をおこなう制御部１０１と、ＲＦＩＤ（Radio  Frequency  Identification）アンテナ１０２とが、ケーブル３００を介して電気的に接続されている。すなわち、ＲＦＩＤアンテナ１０２は、基板１０２ａ上にコイルアンテナ１０２ｂが配設された構造となっており、制御部１０１から電気信号を供給されて機能する。
【００２８】
ＲＦＩＤアンテナ１０２に隣接して、図示しない表示装置の表示画面に重畳されているガラス基板４００上に、ループアンテナＡ１０３ａと、ループアンテナＢ１０３ｂと、ループアンテナＣ１０３ｃとが並んで配設されている。ループアンテナＡ１０３ａ、ループアンテナＢ１０３ｂ、ループアンテナＣ１０３ｃのいずれも、電気信号を供給するいずれの制御装置とも接続されていない。
【００２９】
そして、ＲＦＩＤアンテナ１０２に電気信号が流れると、フレミングの右手の法則による電磁誘導によってループアンテナＡ１０３ａにこの電気信号を搬送する電波が到達し、この到達した電波によってループアンテナＡ１０３ａに電気信号が流れる。
【００３０】
ループアンテナＡ１０３ａに電気信号が流れると、電磁誘導によってさらにループアンテナＢ１０３ｂに電気信号を搬送する電波が到達し、この到達した電波によってループアンテナＢ１０３ｂに電気信号が流れる。さらに、ループアンテナＢ１０３ｂに電気信号が流れると、電磁誘導によってさらにループアンテナＣ１０３ｃに電気信号を搬送する電波が到達し、この到達した電波によってループアンテナＣ１０３ｃに電気信号が流れる。
【００３１】
このようにして、ＲＦＩＤアンテナ１０２を起点として、隣接して配置されるループアンテナＡ１０３ａ、ループアンテナＢ１０３ｂ、ループアンテナＣ１０３ｃに電磁誘導によって電気信号が到達し、各ループアンテナが機能することとなる。すなわち、ＲＦＩＤアンテナ１０２、ループアンテナＡ１０３ａ、ループアンテナＢ１０３ｂ、ループアンテナＣ１０３ｃは、１体のアンテナとなる。
【００３２】
ループアンテナＡ１０３ａ、ループアンテナＢ１０３ｂ、ループアンテナＣ１０３ｃは、１枚の赤外線タッチパネル１０４によって、すべて被覆されている。赤外線タッチパネル１０４は、パネル上の極低層に接触検知面を有するため、ＩＣチップ搭載媒体がパネル上面に接触または翳された位置（以下、ＩＣチップ搭載媒体検出位置と呼ぶ。ＩＣチップ搭載媒体検出位置は、座標などで表現される）を検知して取得することが可能である。そして、赤外線タッチパネル１０４は、透過性を有するものである。なお、ＩＣチップ処理装置１００ａとの通信のためにＩＣチップ搭載媒体が接触または翳される面を「読み取り面」と呼ぶことにする。
【００３３】
表示装置の表示画面におけるメニュー１表示は、ループアンテナＡ１０３ａに重畳して表示され、メニュー２表示は、ループアンテナＢ１０３ｂに重畳して表示され、メニュー３表示は、ループアンテナＣ１０３ｃに重畳して表示される。ループアンテナＡ１０３ａ、ループアンテナＢ１０３ｂ、ループアンテナＣ１０３ｃが配設されるガラス基板４００および赤外線タッチパネル１０４は、透過性を有するので、ループアンテナＡ１０３ａ、ループアンテナＢ１０３ｂ、ループアンテナＣ１０３ｃの配設にかかわらず、メニュー１表示、メニュー２表示、メニュー３表示は、ガラス基板４００および赤外線タッチパネル１０４を通して可視となる。
【００３４】
赤外線タッチパネル１０４によって、ＩＣチップ搭載媒体検出位置が取得されるので、その位置がメニュー１表示、メニュー２表示、メニュー３表示のいずれの位置に該当するかが分かる。このため、メニュー１表示、メニュー２表示、メニュー３表示ごとに異なるサービスを提供する（例えば、異なる種類のクーポン情報を提供するなど）よう制御可能になる。
【００３５】
このように、１つの制御部１０１、１つのＲＦＩＤアンテナ１０２および複数のループアンテナを組み合わせることによって、複数のＩＣチップ処理装置と同等の機能を発揮することとなる。そして、表示装置の表示画面に重畳させて、ＩＣチップの読み取り面を複数配置することが可能となる。
【００３６】
すなわち、ＲＦＩＤアンテナ１０２を起点として、隣接して配置されるループアンテナＡ１０３ａ、ループアンテナＢ１０３ｂ、ループアンテナＣ１０３ｃに電磁誘導によって電気信号を到達させ、１台のＩＣチップ処理装置に複数のＩＣチップ処理装置と同等の機能を発揮させることができる。また、ループアンテナＡ１０３ａ、ループアンテナＢ１０３ｂ、ループアンテナＣ１０３ｃを情報提供装置の表示装置の表示画面に重畳させ、表示画面を透過的に可視となるので、表示画面の表示内容をＩＣチップの読み取り面として利用することが可能になり、また、提供サービスが異なる読み取り面を複数配置することが可能となる。
【００３７】
図１−２は、実施例１にかかるＩＣチップ処理装置のアンテナ部の横断面図を示す図である。ここで、アンテナ部とは、ＲＦＩＤアンテナ１０２、ループアンテナＡ１０３ａ、ループアンテナＢ１０３ｂ、ループアンテナＣ１０３ｃの総称である。
【００３８】
図１−２に示すように、ＲＦＩＤアンテナ１０２は、基板１０２ａの上面に、コイルアンテナ１０２ｂが配設されている。そして、その隣に、基板１０２ａと上面が揃うように、ガラス基板４００が配設されている。ガラス基板４００上には、ループアンテナＡ１０３ａ、ループアンテナＢ１０３ｂ、ループアンテナＣ１０３ｃが配設されている。そして、ループアンテナＡ１０３ａ、ループアンテナＢ１０３ｂ、ループアンテナＣ１０３ｃをすべて被覆するように、赤外線タッチパネルが配設されている。なお、ガラス基板４００の下方には、表示装置が配設される。
【００３９】
次に、実施例１にかかるＩＣチップ処理装置の構成について説明する。図２は、実施例１にかかるＩＣチップ処理装置の構成を示す機能ブロック図である。同図に示すように、実施例１にかかるＩＣチップ処理装置１００ａは、制御部１０１と、ＲＦＩＤアンテナ１０２と、ループアンテナＡ１０３ａと、ループアンテナＢ１０３ｂと、ループアンテナＣ１０３ｃと、赤外線タッチパネル１０４と、通信インターフェース部１０５とを有する。
【００４０】
なお、ＩＣチップ処理装置１００ａは、表示装置２００ａを有する情報提供装置２００に接続されている。さらには、ＩＣチップ処理装置１００ａは、情報提供装置２００に内蔵されるものである。表示装置２００ａは、ＬＣＤ（Liquid  Crystal  Display）、ＰＤＰ（Plasma  Display  Panel）、ＣＲＴ（Cathode  Ray  Tube）、有機ＥＬ（electro-luminescence）などを表示画面に使用している。
【００４１】
制御部１０１は、ＩＣチップ処理装置１００ａの全体制御をつかさどる制御装置であり、実施例１に関連する構成として、ポーリング処理部１０１ａと、ＩＣ検出処理部１０１ｂと、ＩＣ検出位置特定処理部１０１ｃと、リードライト処理部１０１ｄとを有する。
【００４２】
ポーリング処理部１０１ａは、一定周期で通信インターフェース部１０５の通信ポートのオープンおよびクローズを繰り返す処理部である。ＩＣ検出処理部１０１ｂは、ＲＦＩＤアンテナ１０２、ループアンテナＡ１０３ａ、ループアンテナＢ１０３ｂ、ループアンテナＣ１０３ｃのいずれかを介してＩＣチップ搭載媒体に搭載されるＩＣチップを検出する処理部である。
【００４３】
ＩＣ検出位置特定処理部１０１ｃは、赤外線タッチパネル１０４によって取得されたＩＣチップ搭載媒体検出位置を特定する処理部である。リードライト処理部１０１ｄは、ＲＦＩＤアンテナ１０２、ループアンテナＡ１０３ａ、ループアンテナＢ１０３ｂ、ループアンテナＣ１０３ｃのいずれかを介してＩＣチップ搭載媒体に搭載されるＩＣチップからＩＣチップ情報を読み出す。そして、この情報と、ＩＣ検出位置特定処理部１０１ｃによって特定されたＩＣチップ搭載媒体検出位置とに応じたサービスをユーザに提供するための処理をおこなう。
【００４４】
具体的には、リードライト処理部１０１ｄは、ＩＣチップ情報と、ＩＣチップ搭載媒体検出位置とに応じたサービスの提供の要求とを、通信インターフェース部１０５を介して情報提供装置２００へと送信する。そして、情報提供装置２００は、要求されたサービスを提供するためのサービス情報を、通信インターフェース部１０５を介してリードライト処理部１０１ｄへと送信する。
【００４５】
なお、表示装置２００ａの表示画面には、提供サービスのメニュー画面が３つ表示される（前述のメニュー１表示、メニュー２表示、メニュー３表示）。これらのメニュー画面それぞれに対応するように、ループアンテナＡ１０３ａ、ループアンテナＢ１０３ｂ、ループアンテナＣ１０３ｃが各メニュー画面に重畳して配設されている。
【００４６】
次に、実施例１のＩＣ処理について説明する。図３は、実施例１のＩＣチップ処理手順を示すフローチャートである。同図に示すように、先ず、ポーリング処理部１０１ａは、一定周期でポーリング処理を開始する（ステップＳ１０１）。続いて、ポーリング処理部１０１ａは、通信インターフェース部１０５の通信ポートをオープンする（ステップＳ１０２）。
【００４７】
続いて、ＩＣ検出処理部１０１ｂは、ＩＣチップを検出したか否かを判定する（ステップＳ１０３）。ＩＣチップを検出したと判定された場合に（ステップＳ１０３肯定）、ステップＳ１０４に移り、ＩＣチップを検出したと判定されなかった場合に（ステップＳ１０３否定）、ステップＳ１０６へ移る。
【００４８】
ステップＳ１０４では、ＩＣ検出位置特定処理部１０１ｃは、赤外線タッチパネル１０４によって取得されたＩＣチップ搭載媒体検出位置に基づいて、表示装置２００ａの表示画面において、ＩＣ検出位置がいずれのメニュー表示の表示位置に該当するかを特定する。
【００４９】
続いて、リードライト処理部１０１ｄは、ＩＣチップからのＩＣチップ情報と、ＩＣチップ搭載媒体検出位置とに応じたサービスの提供の要求とを、通信インターフェース部１０５のオープンされた通信ポートを介して、情報提供装置２００へと送信する。そして、通信インターフェース部１０５を介して情報提供装置２００から受信したサービス情報を、ＩＣチップ情報と、ＩＣチップ搭載媒体検出位置とに応じたサービスの提供の要求とを送信してきたＩＣチップに送信して記憶させる（以上、ステップＳ１０５）。この処理が終了すると、ＩＣ処理は終了する。
【００５０】
一方、ステップＳ１０６では、ポーリング処理部１０１ａは、通信インターフェース部１０５の通信ポートをクローズする。続いて、ポーリング処理部１０１ａは、一定時間にわたって処理を待機する（ステップＳ１０７）。この処理が終了すると、ステップＳ１０１へ移る。
【実施例２】
【００５１】
以下に、図４および図５を参照して、実施例２を説明する。実施例２では、実施例１との差分についてのみ説明する。図４は、実施例２にかかるＩＣチップ処理装置の概要を示す図である。
【００５２】
図４に示すように、実施例２にかかるＩＣチップ処理装置１００ｂは、ＩＣチップ処理装置１００ｂの制御処理をおこなう制御部１０１と、ＲＦＩＤアンテナ１０２とが、ケーブル３００を介して電気的に接続されている。
【００５３】
ＲＦＩＤアンテナ１０２に隣接して、図示しない表示装置の表示画面に重畳されているガラス基板４００上に、１つのループアンテナ１０３が配設されている。ループアンテナ１０３は、電気信号を供給するいずれの制御装置とも接続されていない。
【００５４】
そして、ＲＦＩＤアンテナ１０２に電気信号が流れると、フレミングの右手の法則による電磁誘導によってループアンテナ１０３にこの電気信号を搬送する電波が到達し、この到達した電波によってループアンテナ１０３に電気信号が流れる。
【００５５】
このようにして、ＲＦＩＤアンテナ１０２を出発点として、隣接して配置されるループアンテナ１０３に電気信号が到達し、各ループアンテナが機能することとなる。すなわち、ＲＦＩＤアンテナ１０２およびループアンテナ１０３は、１体のアンテナとなる。
【００５６】
ループアンテナ１０３は、１枚の赤外線タッチパネル１０４によって、すべて被覆されている。赤外線タッチパネル１０４は、パネル上の極低層に接触検知面を有するため、ＩＣチップ搭載媒体検出位置を検知して取得することが可能である。そして、赤外線タッチパネル１０４は、透過性を有するものである。
【００５７】
表示装置の表示画面におけるメニュー１表示、メニュー２表示、メニュー３表示は、すべてループアンテナ１０３に重畳して、並んで表示される。ループアンテナ１０３が配設されるガラス基板４００および赤外線タッチパネル１０４は、透過性を有するので、ループアンテナ１０３の配設にかかわらず、メニュー１表示、メニュー２表示、メニュー３表示は、ガラス基板４００および赤外線タッチパネル１０４を通して可視となる。
【００５８】
赤外線タッチパネル１０４によって、ＩＣチップ搭載媒体検出位置が取得されるので、その位置がメニュー１表示、メニュー２表示、メニュー３表示のいずれの位置に該当するかが分かる。このため、メニュー１表示、メニュー２表示、メニュー３表示ごとに異なるサービスを提供するよう制御可能になる。
【００５９】
このように、１つの制御部１０１、１つのＲＦＩＤアンテナ１０２および１つのループアンテナを組み合わせることによって、複数のＩＣチップ処理装置と同等の機能を発揮することとなる。そして、表示装置の表示画面に重畳させて、ＩＣチップの読み取り面を複数配置することが可能となる。
【００６０】
次に、実施例２にかかるＩＣチップ処理装置の構成について説明する。図５は、実施例２にかかるＩＣチップ処理装置の構成を示す機能ブロック図である。同図に示すように、実施例２にかかるＩＣチップ処理装置１００ｂは、実施例１にかかるＩＣチップ処理装置１００ａと同様に、制御部１０１と、ＲＦＩＤアンテナ１０２と、赤外線タッチパネル１０４と、通信インターフェース部１０５とを有する。
【００６１】
一方、有するループアンテナは、ループアンテナ１０３のみである。ループアンテナ１０３で囲まれる領域の面積は、実施例１のループアンテナＡ１０３ａ、ループアンテナＢ１０３ｂ、ループアンテナＣ１０３ｃそれぞれで囲まれる領域の面積の合計とほぼ同じにすることによって、実施例２にかかるＩＣチップ処理装置１００ｂは、実施例１にかかるＩＣチップ処理装置１００ａとほぼ同等の機能を発揮する。
【００６２】
なお、表示装置２００ａの表示画面には、実施例１と同様に、提供サービスのメニュー画面が３つ表示される（前述のメニュー１表示、メニュー２表示、メニュー３表示）。これらのメニュー画面すべてを被覆するように、ループアンテナ１０３がすべてのメニュー画面に重畳して配設されている。
【実施例３】
【００６３】
以下に、図６および図７を参照して、実施例３を説明する。実施例３では、実施例２との差分についてのみ説明する。図６は、実施例３にかかるＩＣチップ処理装置の概要を示す図である。
【００６４】
図６に示すように、実施例３にかかるＩＣチップ処理装置１００ｃは、ＩＣチップ処理装置１００ｃの制御処理をおこなう制御部１０１と、ループアンテナ１０３とが、ケーブル３００を介して電気的に接続されている。すなわち、制御部１０１からループアンテナ１０３へと、直接電気信号が供給されることになる。その他の構成は、実施例２にかかるＩＣチップ処理装置１００ｂと同一である。
【００６５】
次に、実施例３にかかるＩＣチップ処理装置の構成について説明する。図７は、実施例３にかかるＩＣチップ処理装置の構成を示す機能ブロック図である。同図に示すように、実施例３にかかるＩＣチップ処理装置１００ｃは、実施例２にかかるＩＣチップ処理装置１００ｂと同様に、制御部１０１と、ループアンテナ１０３と、赤外線タッチパネル１０４と、通信インターフェース部１０５とを有するが、実施例３にかかるＩＣチップ処理装置１００ｃは、ＲＦＩＤアンテナ１０２を有さない。
【００６６】
以上、実施例１〜３を説明したが、次に、実施例１〜３にかかるＩＣチップ処理装置の実装例について説明する。図８は、実施例１〜３にかかるＩＣチップ処理装置の実装例を示す図である。同図に示すように、情報提供装置２００は、箱型の筐体の前面に表示装置２００ａを備える。ＩＣチップ処理装置１００の制御部１０１は、情報提供装置２００の図中の破線部分付近に内蔵されている。
【００６７】
ＩＣチップ処理装置がＲＦＩＤアンテナ１０２を備える場合は、ＲＦＩＤアンテナ１０２の方形のコイルアンテナ１０２ｂの少なくとも一辺が、ループアンテナ１０３のうちの少なくとも１つのループアンテナの少なくとも一辺と隣接するように配設される。
【００６８】
ＩＣチップ処理装置がＲＦＩＤアンテナ１０２を備えない場合は、ループアンテナ１０３のうちの少なくとも１つのループアンテナが、制御部１０１から直接電気信号を供給されることとなる。
【００６９】
表示装置２００ａの表示画面の最下部の領域において、表示画面に、ループアンテナ１０３と、赤外線タッチパネル１０４とが重畳されて配設されている。赤外線タッチパネル１０４は、透過性を有することから、ループアンテナ１０３の配設にかかわらず、表示装置２００ａの表示画面の最下部の領域の表示画像が透過的に可視となっている。
【００７０】
表示装置２００ａの表示画面の最下部の領域の表示画像を、ループアンテナ１０３で囲まれた領域以内に複数表示させると、当該複数の表示画像（例えば、メニュー表示）にＩＣチップ搭載媒体を翳すと、当該ＩＣチップは、ループアンテナ１０３を介してＩＣチップ処理装置と通信をおこなうことができるので、あたかも、表示画像を読み取り面のように使用することができる。
【００７１】
以上の実施例１〜３によれば、表示装置２００ａの表示画面のメニュー表示に重畳して複数のループアンテナを配設するので、ループアンテナの数またはサイズを調整することによって、読み取り面の面積を容易に拡大および縮小可能になるという、設計の容易性を有する。
【００７２】
また、１台のＩＣチップ処理装置をあたかも複数のＩＣチップ処理装置として機能させることができるので、複数台のＩＣチップ処理装置を調停（ポーリング処理）する処理時間を短縮することができ、１台のＩＣチップ処理装置をポーリング処理するのみでよいので、常に一定時間でＩＣチップ処理をおこなうことが可能になる。
【００７３】
また、複数のＩＣチップ処理装置を搭載する場合、それぞれのアンテナが互いに干渉して通信電波が悪影響を被るといった不都合が生じるが、１台のＩＣチップ処理装置のみであれば、アンテナ同士の干渉がなくなり、通信電波が悪影響を被ることがなくなる。
【００７４】
また、複数のＩＣチップ処理装置を搭載する場合に比べ、１台のＩＣチップ処理装置を搭載するのみなので、情報提供装置２００へのＩＣチップ処理装置搭載のコストを低減し、情報処理装置の筐体スペースをよりコンパクト化できることから、情報提供装置２００の製造コストを低減することができる。
【００７５】
複数のＩＣチップ処理装置を搭載する場合に比べ、１台のＩＣチップ処理装置を搭載するのみなので、ＩＣチップ処理装置を搭載する情報提供装置２００の消費電力の低減を図ることが可能になる。
【００７６】
また、表示装置２００ａの表示画面のメニュー表示と、読み取り面とが重畳されて同一となるので、ユーザに、所望のサービスを提供するための読み取り面を的確に伝えることが可能になる。
【００７７】
以上、本発明の実施例を説明したが、本発明は、これに限られるものではなく、特許請求の範囲に記載した技術的思想の範囲内で、更に種々の異なる実施例で実施されてもよいものである。また、実施例に記載した効果は、これに限定されるものではない。
【００７８】
上記実施例１〜３では、ループアンテナに重畳して表示装置２００ａの表示画面に表示されるメニュー表示は３つであるとしたが、これに限らず、ループアンテナで囲まれた領域内に収まるように、メニュー表示の表示サイズおよびメニュー表示数は、必要に応じて増減可能である。
【００７９】
上記実施例１〜３では、ループアンテナが配設される基板は、ガラス基板４００であるとしたが、これに限らず、導電性および電磁誘導性がなく（これは、ループアンテナとの干渉を回避するためである）、一定の強度があり、透過性を有する素材であれば、いずれも利用可能である。
【００８０】
上記実施例１〜３では、赤外線タッチパネル１０４を使用して、ＩＣチップ搭載媒体検出位置を検出するとしたが、これに限らず、一般的なタッチパネルまたはスイッチパネルを使用してもよい。一般的なタッチパネルまたはスイッチパネルを使用した場合には、ＩＣチップ搭載媒体は、ＩＣチップ搭載媒体検出位置において、必ずタッチパネルまたはスイッチパネルと接触しなければならないが、実用上の問題はない。
【００８１】
また、上記実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施例で示した処理手順、制御手順、具体的名称、各種のデータやパラメータを含む情報については、特記する場合を除いて任意に変更することができる。
【００８２】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８３】
さらに、各装置にて行なわれる各処理機能は、その全部または任意の一部が、ＣＰＵ（Central  Processing  Unit）（またはＭＰＵ（Micro  Processing  Unit）、ＭＣＵ（Micro  Controller  Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【００８４】
上記の実施例１〜３を含む実施形態に関し、更に以下の付記を開示する。
【００８５】
（付記１）少なくとも一つのループアンテナと制御回路とで構成され、前記ループアンテナを介した近距離電波無線通信により集積回路搭載媒体に搭載される集積回路へ情報を送信することによって、ユーザにサービスを提供する集積回路処理装置であって、
前記集積回路搭載媒体が接触または翳された位置を検知する位置検知パネルが前記ループアンテナを被覆するように重畳して配設されていることを特徴とする集積回路処理装置。
【００８６】
（付記２）前記ループアンテナは、透過性を有する基板の上面に配設され、
前記基板は、画像表示媒体の表示面の少なくとも一部分に重畳して配設されていることを特徴とする付記１記載の集積回路処理装置。
【００８７】
（付記３）前記位置検知パネルによって検知された前記集積回路搭載媒体が接触または翳された位置に応じて異なる前記サービスを前記ユーザに提供することを特徴とする付記１または２に記載の集積回路処理装置。
【００８８】
（付記４）前記制御回路に電気的に接続される前記ループアンテナとは異なるアンテナをさらに有し、
前記ループアンテナは、前記制御回路および前記アンテナとは電気的に接続されておらず、前記アンテナによる電磁誘導によって機能することを特徴とする付記１、２または３に記載の集積回路処理装置。
【００８９】
（付記５）前記ループアンテナは、前記制御回路に電気的に接続されており、前記制御回路によって機能することを特徴とする付記１〜４のいずれか一つに記載の集積回路処理装置。
【００９０】
（付記６）複数の前記ループアンテナは、少なくとも一つの他のループアンテナと隣接するよう前記基板の上面に配設され、前記他のループアンテナよる電磁誘導によって機能することを特徴とする付記１〜５のいずれか一つに記載の集積回路処理装置。
【００９１】
（付記７）少なくとも一つのループアンテナと制御回路とで構成され、前記ループアンテナを介した近距離電波無線通信により集積回路搭載媒体に搭載される集積回路へ情報を送信することによって、ユーザにサービスを提供する集積回路処理装置がおこなう集積回路処理方法であって、
前記ループアンテナを被覆するように重畳して配設されている位置検知パネルが、前記集積回路搭載媒体が接触または翳された位置を検知する位置検知ステップを含むことを特徴とする集積回路処理方法。
【００９２】
（付記８）前記ループアンテナは、透過性を有する基板の上面に配設され、
前記基板は、画像表示媒体の表示面の少なくとも一部分に重畳して配設されていることを特徴とする付記７記載の集積回路処理方法。
【００９３】
（付記９）前記位置検知ステップによって検知された前記集積回路搭載媒体が接触または翳された位置に応じて異なる前記サービスを前記ユーザに提供するサービス提供ステップをさらに含むことを特徴とする付記７または８に記載の集積回路処理方法。
【００９４】
（付記１０）前記集積回路処理装置は、前記制御回路に電気的に接続される前記ループアンテナとは異なるアンテナをさらに有し、
前記ループアンテナは、前記制御回路および前記アンテナとは電気的に接続されておらず、前記アンテナによる電磁誘導によって機能することを特徴とする付記７〜９のいずれか一つに記載の集積回路処理方法。
【００９５】
（付記１１）前記ループアンテナは、前記制御回路に電気的に接続されており、前記制御回路によって機能することを特徴とする付記７〜１０のいずれか一つに記載の集積回路処理方法。
【００９６】
（付記１２）複数の前記ループアンテナは、少なくとも一つの他のループアンテナと隣接するよう前記基板の上面に配設され、前記他のループアンテナよる電磁誘導によって機能することを特徴とする付記７〜１１のいずれか一つに記載の集積回路処理方法。
【産業上の利用可能性】
【００９７】
本発明は、ＩＣチップ処理装置を利用した情報提供装置などのサービス提供装置において、サービス提供装置の製造コストを抑制すること、サービス提供装置の筐体のコンパクト化を図ること、リーダライタ装置を制御するための処理時間の短縮を図ること、リーダライタ装置のアンテナの干渉の回避を図ること、ユーザに、所望のサービスを受けるために非接触型集積回路をかざす位置を的確に伝えることを可能とし、ＩＣ搭載媒体を所定面に翳してサービスの提供をうけるための、より利便性の高いＩＣチップ処理をおこないたい場合に有用である。
【図面の簡単な説明】
【００９８】
【図１−１】実施例１にかかるＩＣチップ処理装置の概要を示す図である。
【図１−２】実施例１にかかるＩＣチップ処理装置のアンテナ部の断面を示す図である。
【図２】実施例１にかかるＩＣチップ処理装置の構成を示す機能ブロック図である。
【図３】実施例１のＩＣチップ処理手順を示すフローチャートである。
【図４】実施例２にかかるＩＣチップ処理装置の概要を示す図である。
【図５】実施例２にかかるＩＣチップ処理装置の構成を示す機能ブロック図である。
【図６】実施例３にかかるＩＣチップ処理装置の概要を示す図である。
【図７】実施例３にかかるＩＣチップ処理装置の構成を示す機能ブロック図である。
【図８】実施例１〜３にかかるＩＣチップ処理装置の実装例を示す図である。
【符号の説明】
【００９９】
１００、１００ａ、１００ｂ、１００ｃ    ＩＣチップ処理装置
１０１    制御部
１０１ａ    ポーリング処理部
１０１ｂ    ＩＣ検出処理部
１０１ｃ    ＩＣ検出位置特定処理部
１０１ｄ    リードライト処理部
１０２    ＲＦＩＤアンテナ
１０２ａ    基板
１０２ｂ    コイルアンテナ
１０３    ループアンテナ
１０３ａ    ループアンテナＡ
１０３ｂ    ループアンテナＢ
１０３ｃ    ループアンテナＣ
１０４    赤外線タッチパネル
１０５    通信インターフェース部
２００    情報提供装置
２００ａ    表示装置
３００    ケーブル
４００    ガラス基板
【図１−１】
0005272476.tif 000002
【図１−２】
0005272476.tif 000003
【図２】
0005272476.tif 000004
【図３】
0005272476.tif 000005
【図４】
0005272476.tif 000006
【図５】
0005272476.tif 000007
【図６】
0005272476.tif 000008
【図７】
0005272476.tif 000009
【図８】
0005272476.tif 000010